(57)【要約】【課題】低温端末往き温水温度を制御し、より安定した往き温度の温水を低温端末機に供給する温水暖房装置を提供する。【解決手段】温水循環ポンプ６で搬送された温水を加熱する熱交換部４と、熱交換部出口サーミスタ５と、高温端末機側へ熱交換部で加熱された温水を導く高温端末側温水往き流路１２と、高温および低温の各端末機を流れた温水を導く温水戻り流路２１と、温水戻り流路および高温温水往き流路８のそれぞれからの温水を混合して、低温端末機側へ導く低温端末側温水往き流路１６と、低温端末側温水往き流路に設けた低温端末往き温水サーミスタ３０と、低温端末往き温水サーミスタの検知信号に基き、低温端末往き温水温度が所定値となるようにバーナ３の燃焼量を制御する制御手段２７とを備えたものである。【選択図】  図１
2004218916.tif 000002
【特許請求の範囲】
【請求項１】
温水循環ポンプと、温水循環ポンプで搬送された温水を加熱する熱交換部と、熱交換部で加熱された温水の温度を検知する熱交換部出口温水温度検知手段と、高温端末側へ熱交換部で加熱された温水を導く高温端末側温水往き流路と、低温端末側へ温水を導く低温端末側温水往き流路と、低温端末側へ流れる温水の温度を検知する低温端末往き温水温度検知手段と、流路途中に温水タンクを有し、温水循環ポンプへ高温端末機および低温端末機を流れた温水を導く温水戻り流路と、温水戻り流路から分岐し、低温端末側温水往き流路へ戻り温水を導く低温端末側バイパス流路と、流路途中に逆流防止手段を有し、低温端末側温水往き流路へ熱交換部で加熱された温水を導く高温水バイパス流路と、低温端末往き温水温度検知手段の検知信号に基き、低温端末往き温水温度が所定値となるように熱交換部の加熱源を制御する制御手段とを備えた温水暖房装置。
【請求項２】
温水循環ポンプと、温水循環ポンプで搬送された温水を加熱する熱交換部と、熱交換部で加熱された温水の温度を検知する熱交換部出口温水温度検知手段と、高温端末側へ熱交換部で加熱された温水を導く高温端末側温水往き流路と、低温端末側へ温水を導く低温端末側温水往き流路と、流路途中に温水タンクを有し、温水循環ポンプへ高温端末機および低温端末機を流れた温水を導く温水戻り流路と、温水戻り流路から分岐し、低温端末側温水往き流路へ戻り温水を導く低温端末側バイパス流路と、低温端末側バイパス流路の開閉を行う開閉手段と、流路途中に逆流防止手段を有し、低温端末側温水往き流路へ熱交換部で加熱された温水を導く高温水バイパス流路と、前記開閉手段を閉じ、かつ熱交換部出口温水温度検知手段の検知信号に基き、低温端末往き温水温度が所定値となるように熱交換部の加熱源を制御する制御手段とを備えた温水暖房装置。
【請求項３】
低温端末側バイパス流路は、複数流路で構成し、各流路には流路の開閉を行う開閉手段を有し、制御手段は単独低温端末運転時に低温端末機の使用数に応じて適切に前記各開閉手段を開閉し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように前記各開閉手段を開閉する請求項１に記載の温水暖房装置。
【請求項４】
高温水バイパス流路は、複数流路で構成し、各流路には流路の開閉を行う開閉手段を有し、制御手段は単独低温端末運転時には前記複数の開閉手段を開とし、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように前記各開閉手段を開閉する請求項１に記載の温水暖房装置。
【請求項５】
低温端末側バイパス流路は、流路径の調整を行う流路径可変手段を有し、制御手段は単独低温端末運転時には流路径可変手段を適切に制御し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように前記流路径可変手段を制御する請求項１に記載の温水暖房装置。
【請求項６】
高温水バイパス流路は、流路径の調整を行う流路径可変手段を有し、制御手段は単独低温端末運転時には流路径可変手段を全開に制御し、かつ低温端末往き温水温度検知手段の検知信号に基き低温端末往き温水温度が所定値となるように熱交換部の加熱源を制御し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように流路径可変手段を制御する請求項１に記載の温水暖房装置。
【請求項７】
低温端末側バイパス流路はその流路の開閉を行う開閉手段を有し、高温水バイパス流路はそれぞれの流路が開閉手段を有する複数流路で構成し、制御手段は単独低温端末運転時には低温端末側バイパス流路の開閉手段を適切に開閉するとともに、高温水バイパス流路の開閉手段をすべて開とし、かつ低温端末往き温水温度検知手段の検知信号に基き低温端末往き温水温度が所定値となるように熱交換部の加熱源を制御し、同時高低温端末運転時には低温端末側バイパス流路の開閉手段を開に制御するとともに、熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように高温水バイパス流路の各開閉手段を開閉する請求項１に記載の温水暖房装置。
【請求項８】
高温水バイパス流路は、流路径の調整を行う流路径可変手段を有し、制御手段は単独低温端末運転時には低温端末側バイパス流路の開閉手段を適切に開閉するとともに、前記流路径可変手段を全開とし、かつ低温端末往き温水温度検知手段の検知信号に基き低温端末往き温水温度が所定値となるように熱交換部の加熱源を制御し、同時高低温端末運転時には低温端末側バイパス流路の開閉手段を開に制御するとともに、熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように前記流路径可変手段を制御する請求項７に記載の温水暖房装置。
【発明の詳細な説明】
【０００１】
【発明の属する技術分野】
本発明は、複数の温度制御を行う温水暖房装置において、低温端末側へ流れる温水の温度を制御し、より安定した往き温度の温水を低温側端末機に供給する技術に関するものである。
【０００２】
【従来の技術】
この種従来の温水暖房装置（例えば特許文献１参照）の代表的な構成を図１７に示す。ここでは、温水を加熱する手段としてガス燃焼を利用し、高温端末機として１系統を、低温端末機として３系統を接続し、全体としての温水暖房システムを形成した構成を示している。
【０００３】
高温端末機２５および各低温端末機２６Ａ、２６Ｂ、２６Ｃと温水の熱源機Ｇにおける制御手段２７は、高温端末信号線２８および各低温端末信号線２９Ａ、２９Ｂ、２９Ｃで接続されており、各端末機の運転状態等を通信している。各端末機の運転動作パターンとしては、低温端末機のみ運転が行われる単独低温端末運転、高温端末機のみ運転が行われる単独高温端末運転、低温端末機および高温端末機が同時に運転される同時高低温端末運転の３種類が存在する。以下これら３種類の端末機運転パターンと併せて構成の詳細について図を用いて説明する。
【０００４】
まず単独低温端末運転の動作について説明する。図１７において、燃料ガス供給装置１によって供給された燃料ガスは、燃焼ファン２によって送り込まれた空気と混合されることによって、バーナ３で燃焼される。一方、温水循環ポンプ６によって循環搬送された温水は、温水戻り流路Ｂ２１を流れ、その一部が低温端末側バイパス流路１５へ流れこみ、残りが熱交換部側温水戻り流路１４を流れて熱交換部４へ流れて加熱される。
【０００５】
単独低温端末運転の場合には、制御手段２７により熱交換部出口サーミスタ５で検知される温水の温度が、ある一定の温度（例えば６７℃）となるように燃料ガス供給装置１および燃焼ファン２の回転数を調整し、バーナ３の燃焼量を制御する。そして、温水循環ポンプ６によって循環搬送され、低温端末側バイパス流路１５へ流れこんだ戻り温水は、逆流防止手段９を備えた高温水バイパス流路１０を流れる熱交換部４で加熱された高温水の一部と混ざり、低温端末側温水往き流路１６を通って低温端末側へ流れる。
【０００６】
ここで逆流防止手段９は、低温の戻り温水が、熱交換部４で加熱された高温水側へ流れることを防止するためのものである。低温端末側温水往き流路１６を流れた低温側往き温水は、各低温端末機２６Ａ、２６Ｂ、２６Ｃへの温水流入を開閉する各低温端末温水弁２３Ａ、２３Ｂ、２３Ｃを配置した低温端末側往きヘッダー２４へ流れる。各低温端末側往き配管１７Ａ、１７Ｂ、１７Ｃを流れた低温側往き温水は、各低温端末機２６Ａ、２６Ｂ、２６Ｃで放熱し、各低温端末側戻り配管１９Ａ、１９Ｂ、１９Ｃおよび温水戻り流路Ａ２０を流れて温水暖房装置の熱源機Ｇへと戻る。
【０００７】
温水戻り流路Ａ２０を流れた戻り温水は、機内循環温水バイパス流路１１を流れる熱交換部４で加熱された高温水の一部と混ざり、温水戻り流路Ｂ２１を通って、温水タンク７へ流れ、温水循環ポンプ６によって循環搬送が繰り返される。なお、機内循環温水バイパス流路１１は熱源機Ｇ内の最低循環温水流量を確保するために設けてある。
【０００８】
ここで図１８（ａ）に単独低温端末運転時における温水暖房装置内の温水の流れを示し、単独低温端末運転時に低温端末機に流れる低温端末往き温水温度について説明する。低温端末側バイパス流路１５を流れる戻り温水流量と、高温水バイパス流路１０を流れる高温水流量は、低温端末側温水往き流路１６を流れる低温端末機循環流量がある程度の値（例えば６Ｌ／ｍｉｎ）以上であれば、低温端末機循環流量を１００％として例えば、（戻り温水流量）：（高温水流量）＝２５％：７５％とし、低温端末機循環流量が６Ｌ／ｍｉｎ以上となるように低温端末側バイパス流路１５および高温水バイパス流路１０の流路抵抗を設定している。
【０００９】
またこの流量比率は、低温端末側バイパス流路１５および高温水バイパス流路１０の流路抵抗特性によって、低温端末機循環流量がある程度の値（例えば６Ｌ／ｍｉｎ）より小さければ低温端末機循環流量によって例えば、（戻り温水流量）：（高温水流量）＝７５％：２５％とし、低温端末機循環流量が３Ｌ／ｍｉｎ未満で（戻り温水流量）：（高温水流量）＝５０％：５０％とし、低温端末機循環流量が３Ｌ／ｍｉｎ  〜６Ｌ／ｍｉｎとなるような特性を示す。
【００１０】
低温端末往き温水温度をＴＬ、戻り温水温度をＴ１、高温水温度をＴｈ、戻り温水流量比率をｘ％とすると低温端末往き温水温度ＴＬは、式（１）で示すＴＬ＝０．０１ｘＴ１＋（１−０．０１ｘ）Ｔｈとなる。
【００１１】
上記低温端末機循環流量条件に対して、高温水温度Ｔｈ＝６７℃、戻り温水温度Ｔ１を４０℃、４５℃、５０℃として低温端末往き温水温度ＴＬを計算するとそれぞれ、
＜低温端末機循環流量が３Ｌ／ｍｉｎ未満の場合（温水流量比率ｘ＝７５％）＞は、（Ｔ１、ＴＬ）＝（４０℃、４６．８℃）、（４５℃、５０．５℃）、（５０℃、５４．３℃）となる。
【００１２】
＜低温端末機循環流量が３Ｌ／ｍｉｎ〜６Ｌ／ｍｉｎの場合（温水流量比率ｘ＝５０％）＞は、（Ｔ１、ＴＬ）＝（４０℃、５３．５℃）、（４５℃、５６．０℃）、（５０℃、５８．５℃）となる。
【００１３】
＜低温端末機循環流量が６Ｌ／ｍｉｎ以上の場合（温水流量比率ｘ＝２５％）＞は、（Ｔ１、ＴＬ）＝（４０℃、６０．３℃）、（４５℃、６１．５℃）、（５０℃、６２．８℃）となる。このように低温端末機循環流量および戻り温水温度によって低温端末往き温水温度は成り行きの値となる。
【００１４】
次に単独高温端末運転の動作について説明する。温水循環ポンプ６によって循環搬送された温水は、温水戻り流路Ｂ２１および熱交換部側温水戻り流路１４を流れて熱交換部４へ流れて加熱される。単独高温端末運転の場合には、制御手段２７により熱交換部出口サーミスタ５で検知される温水の温度が、ある一定の温度（例えば８０℃）となるように燃料ガス供給装置１および燃焼ファン２の回転数を調整し、バーナ３の燃焼量を制御する。
【００１５】
熱交換部４で加熱された高温水は、高温水往き流路８、高温端末側温水往き流路１２、および高温端末側往き接続口２２で接続された高温端末側往き配管１３を通って高温端末機２５へ流れる。高温端末機２５で放熱した高温水は、高温端末側戻り配管１８および温水戻り流路Ａ２０を流れて温水暖房装置へと戻る。温水戻り流路Ａ２０を流れた戻り温水は、機内循環温水バイパス流路１１を流れる熱交換部４で加熱された高温水の一部と混ざり、温水戻り流路Ｂ２１を通って、温水タンク７へ流れ温水循環ポンプ６によって循環搬送が繰り返される。
【００１６】
最後に同時高低温端末運転の場合は、上記単独低温端末運転および単独高温端末運転が同時に行われるが、高温端末に供給する高温水温度を優先的に確保するため、熱交換部出口サーミスタ５で検知される温水の温度が、高温水必要温度（例えば８０℃）となるように制御手段２７により燃料ガス供給装置１および燃焼ファン２の回転数を調整し、バーナ３の燃焼量が制御される。
【００１７】
したがって、同時高低温端末運転時には高温水バイパス流路１０を通って低温端末側に流れる高温水は、単独低温端末運転時よりも高温となる。ここで図１８（ｂ）に同時高低温端末運転時における熱源機Ｇ内の温水の流れを示し、同時高低温端末運転時に低温端末機に流れる低温端末往き温水温度について説明する。
【００１８】
低温端末機循環流量条件に対して、高温水温度Ｔｈ＝８０℃、戻り温水温度Ｔ１を４０℃、４５℃、５０℃として、単独低温端末運転時と同様に式（１）を用いて低温端末往き温水温度ＴＬを計算するとそれぞれ、
＜低温端末機循環流量が３Ｌ／ｍｉｎ未満の場合（温水流量比率ｘ＝７５％）＞は、（Ｔ１、ＴＬ）＝（４０℃、５０．０℃）、（４５℃、５３．８℃）、（５０℃、５７．５℃）となる。
【００１９】
＜低温端末機循環流量が３Ｌ／ｍｉｎ〜６Ｌ／ｍｉｎの場合（温水流量比率ｘ＝５０％）＞は、（Ｔ１、ＴＬ）＝（４０℃、６０．０℃）、（４５℃、６２．５℃）、（５０℃、６５．０℃）となる。
【００２０】
＜低温端末機循環流量が６Ｌ／ｍｉｎ以上の場合（温水流量比率ｘ＝２５％）＞は、（Ｔ１、ＴＬ）＝（４０℃、７０．０℃）、（４５℃、７１．３℃）、（５０℃、７２．５℃）となる。
【００２１】
このように同時高低温端末運転の場合も単独低温端末運転の場合と同様に、低温端末機循環流量および戻り温水温度によって低温端末往き温水温度は成り行きの値となる。
【００２２】
しかしながら、従来の温水暖房装置では熱交換部出口サーミスタ５で検知される温水の温度のみで高温水温度を制御していたため、高温端末側に流れる高温端末往き温水温度は一定温度（例えば８０℃）に制御できたが、低温端末側に流れる低温端末往き温水温度は、単独低温端末運転時あるいは同時高低温端末運転時という端末機の運転動作パターン、低温端末機循環流量、戻り温水温度の条件によって成り行き変化し、一定温度に制御できないという課題を有していた。
【００２３】
【特許文献１】
特開平０３−２７１６３３号公報
【００２４】
【発明が解決しようとする課題】
上記従来の技術の問題点に鑑み、本発明が解決しようとする課題は、低温端末往き温水温度を制御し、より安定した往き温度の温水を低温側端末機に供給する温水暖房装置を提供することを目的とする。
【００２５】
【課題を解決するための手段】
上記目的を達成するために本発明の温水暖房装置は、低温端末往き温水温度を一定温度に制御する機能を備えたものである。
【００２６】
これによって、単独低温端末運転時あるいは同時高低温端末運転時という端末機の運転動作パターンで、従来、低温端末機循環流量、戻り温水温度の条件によって成り行きに決まっていた低温端末往き温水温度特性を改善し、より安定した往き温度の温水を低温側端末機に供給することができる。
【００２７】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明の実施の形態とする。
【００２８】
請求項１記載に係る発明は、温水循環ポンプと、温水循環ポンプで搬送された温水を加熱する熱交換部と、熱交換部で加熱された温水の温度を検知する熱交換部出口温水温度検知手段と、高温端末側へ熱交換部で加熱された温水を導く高温端末側温水往き流路と、低温端末側へ温水を導く低温端末側温水往き流路と、低温端末側へ流れる温水の温度を検知する低温端末往き温水温度検知手段と、流路途中に温水タンクを有し、温水循環ポンプへ高温端末機および低温端末機を流れた温水を導く温水戻り流路と、温水戻り流路から分岐し、低温端末側温水往き流路へ戻り温水を導く低温端末側バイパス流路と、流路途中に逆流防止手段を有し、低温端末側温水往き流路へ熱交換部で加熱された温水を導く高温水バイパス流路と、低温端末往き温水温度検知手段の検知信号に基き、低温端末往き温水温度が所定値となるように熱交換部の加熱源を制御する制御手段とを備えた温水暖房装置である。
【００２９】
上記実施の形態により、単独低温端末運転時、制御手段は低温端末往き温水温度検知手段により検知した低温端末機に流れる温水温度に基き、低温端末往き温水温度が所定値となるように熱交換部の加熱源を制御するため、より安定した往き温度の温水を低温端末機に供給することができる。
【００３０】
請求項２記載に係る発明は、温水循環ポンプと、温水循環ポンプで搬送された温水を加熱する熱交換部と、熱交換部で加熱された温水の温度を検知する熱交換部出口温水温度検知手段と、高温端末側へ熱交換部で加熱された温水を導く高温端末側温水往き流路と、低温端末側へ温水を導く低温端末側温水往き流路と、流路途中に温水タンクを有し、温水循環ポンプへ高温端末機および低温端末機を流れた温水を導く温水戻り流路と、温水戻り流路から分岐し、低温端末側温水往き流路へ戻り温水を導く低温端末側バイパス流路と、低温端末側バイパス流路の開閉を行う開閉手段と、流路途中に逆流防止手段を有し、低温端末側温水往き流路へ熱交換部で加熱された温水を導く高温水バイパス流路と、前記開閉手段を閉じ、かつ熱交換部出口温水温度検知手段の検知信号に基き、低温端末往き温水温度が所定値となるように熱交換部の加熱源を制御する制御手段とを備えた温水暖房装置である。
【００３１】
上記実施の形態により、単独低温端末運転時、制御手段は開閉弁を閉じ、熱交換部出口温水温度検知手段で低温端末機に流れる温水温度を検知し、低温端末往き温水温度が所定値となるように熱交換部の加熱源を制御するため、より安定した往き温度の温水を低温端末機に供給することができる。
【００３２】
請求項３記載に係る発明は、請求項１記載の温水暖房装置おいて、低温端末側バイパス流路を、各流路の開閉を行う開閉手段を有する複数流路で構成し、制御手段は単独低温端末運転時には低温端末機の使用数に応じて適切に前記各開閉手段を開閉し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように前記各開閉手段を開閉するものである。
【００３３】
上記実施の形態により、単独低温端末運転時には低温端末側バイパス流路を構成する複数流路の開閉弁を低温端末機の使用数に応じて適切に開閉し、かつ低温端末往き温水温度検知手段で低温端末機に流れる温水温度を検知し、低温端末往き温水温度が所定値となるように熱交換部の加熱源を制御するので、低温端末機の使用数に拘わらず、より安定した往き温度の温水を低温端末機に供給することができる。
【００３４】
また同時高低温端末運転時には熱交換部出口温水温度検知手段で高温水温度を検知し、高温水温度が所定値となるように熱交換部の加熱源を制御し、一方、低温端末往き温水温度検知手段で低温端末機に流れる温水温度が所定の温度域となるように複数流路の開閉手段を開閉し、例えば複数流路の開閉手段のうち、少なくとも１つは常時「開」としその他は適切に開閉することで、より安定した往き温度の温水を低温端末機に供給することができる。
【００３５】
請求項４記載に係る発明は、請求項１記載の温水暖房装置において、高温水バイパス流路を、各流路の開閉を行う開閉手段を有する複数の流路で構成し、制御手段は単独低温端末運転時には前記複数の開閉手段を開とし、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように前記各開閉手段を開閉するものである。
【００３６】
上記実施の形態により、単独低温端末運転時には前記複数の開閉手段を開とし、低温端末往き温水温度検知手段の検知信号に基き低温端末往き温水温度が所定値となるように熱交換部の加熱源を制御するので、より安定した往き温度の温水を低温端末機に供給することができる。
【００３７】
また同時高低温端末運転時には、熱交換部出口温水温度検知手段で高温水温度を検知し、高温水温度が所定値となるように熱交換部の加熱源を制御し、かつ低温端末往き温水温度検知手段で低温端末機に流れる温水温度を検知し、低温端末機に流れる温水温度が所定の温度域となるように複数の開閉手段を開閉し、例えば複数流路の開閉手段のうち、少なくとも１つは常時「開」とし、その他は適切に開閉することで、より安定した往き温度の温水を低温端末機に供給することができる。
【００３８】
請求項５記載に係る発明は、請求項１記載の温水暖房装置において、低温端末側バイパス流路は流路径の調整を行う流路径可変手段を有し、制御手段は単独低温端末運転時には流路径可変手段を適切に制御し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように前記流路径可変手段を制御するものである。
【００３９】
上記実施の形態により、単独低温端末運転時には流路径可変手段の開度を適切に調整し、かつ低温端末往き温水温度検知手段で低温端末機に流れる温水温度を検知し、低温端末往き温水温度が所定値となるように熱交換部の加熱源を制御するので、より安定した往き温度の温水を低温端末機に供給することができる。
【００４０】
また、同時高低温端末運転時には熱交換部出口温水温度検知手段で高温水温度を検知し、高温水温度が所定値となるように熱交換部の加熱源を制御し、かつ低温端末往き温水温度検知手段で低温側端末機に流れる温水温度を検知し、低温端末機に流れる温水温度が所定値となるように流路径可変手段の開度を調整して低温端末側バイパス流路径を調整するので、より安定した往き温度の温水を低温端末機に供給することができる。
【００４１】
請求項６記載に係る発明は、請求項１記載の温水暖房装置において、高温水バイパス流路は流路径開度を任意に調整する流路径可変手段を有し、制御手段は単独低温端末運転時には流路径可変手段を全開に制御し、かつ低温端末往き温水温度検知手段の検知信号に基き低温端末往き温水温度が所定値となるように熱交換部の加熱源を制御し、同時高低温端末運転時には熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように流路径可変手段を制御するものである。
【００４２】
上記実施の形態により、単独低温端末運転時には流路径可変手段の開度を全開状態に調整し、かつ低温端末往き温水温度検知手段で低温端末機に流れる温水温度を検知し、低温端末往き温水温度が所定値となるように熱交換部の加熱源を制御するので、より安定した往き温度の温水を低温側端末機に供給することができる。
【００４３】
また、同時高低温端末運転時には熱交換部出口温水温度検知手段で高温水温度を検知し、高温水温度が所定値となるように熱交換部の加熱源を制御し、かつ低温端末往き温水温度検知手段で低温端末機に流れる温水温度を検知し、低温端末機に流れる温水温度が所定値となるように流路径可変手段の開度を調整して高温水バイパス流路径を調整するので、より安定した往き温度の温水を低温端末機に供給することができる。
【００４４】
請求項７記載に係る発明は、請求項１記載の温水暖房装置において、低温端末側バイパス流路は流路の開閉を行う開閉手段を有し、高温水バイパス流路はそれぞれの流路が開閉手段を有する複数流路で構成し、制御手段は単独低温端末運転時には低温端末側バイパス流路の開閉手段を適切に開閉するとともに、高温水バイパス流路の開閉手段をすべて開とし、かつ低温端末往き温水温度検知手段の検知信号に基き低温端末往き温水温度が所定値となるように熱交換部の加熱源を制御し、同時高低温端末運転時には低温端末側バイパス流路の開閉手段を開に制御するとともに、熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定の温度域となるように高温水バイパス流路の各開閉手段を開閉するものである。
【００４５】
上記実施の形態により、単独低温端末運転時には低温端末側バイパス流路の開閉手段を適切に開閉し、一方、高温水バイパス流路の複数の開閉手段をすべて開とし、かつ低温端末往き温水温度検知手段で低温側端末機に流れる温水温度を検知し、低温端末往き温水温度が所定値となるように熱交換部の加熱源を制御するので、より安定した往き温度の温水を低温端末機に供給することができる。
【００４６】
また、同時高低温端末運転時には低温端末側バイパス流路の開閉手段を開とし、一方、熱交換部出口温水温度検知手段で高温水温度を検知して高温水温度が所定値となるように熱交換部の加熱源を制御し、かつ低温端末往き温水温度検知手段で低温端末機に流れる温水温度を検知して低温端末機に流れる温水温度が所定の温度域となるように複数の高温バイパス流路における開閉手段のうち、少なくとも１つは常時「開」とし、その他は適切に開閉するので、より安定した往き温度の温水を低温端末機に供給することができる。
【００４７】
請求項８記載に係る発明は、請求項７記載の温水暖房装置において、高温水バイパス流路は流路径の調整を行う流路径可変手段を有し、制御手段は単独低温端末運転時には低温端末側バイパス流路の開閉手段を適切に開閉するとともに、前記流路径可変手段を全開とし、かつ低温端末往き温水温度検知手段の検知信号に基き低温端末往き温水温度が所定値となるように熱交換部の加熱源を制御し、同時高低温端末運転時には低温端末側バイパス流路の開閉手段を開に制御するとともに、熱交換部出口温水温度検知手段の検知信号に基き高温水温度が所定値となるように熱交換部の加熱源を制御し、かつ低温端末往き温水温度検知手段の検知信号に基き低温端末機に流れる温水温度が所定値となるように前記流路径可変手段を制御するものである。
【００４８】
上記実施の形態により、単独低温端末運転時には低温端末側バイパス流路の開閉手段を適切に開閉し、一方、高温水バイパス流路の流路径可変手段の開度を全開状態に調整し、かつ低温端末往き温水温度検知手段で低温側端末機に流れる温水温度を検知し、低温端末往き温水温度が所定値となるように熱交換部の加熱源を制御するので、より安定した往き温度の温水を低温端末機に供給することができる。
【００４９】
また、同時高低温端末運転時には低温端末側バイパス流路の開閉手段を開とし、一方、熱交換部出口温水温度検知手段で高温水温度を検知して高温水温度が所定値となるように熱交換部の加熱源を制御し、かつ低温端末往き温水温度検知手段で低温端末機に流れる温水温度を検知し、低温端末機に流れる温水温度が所定値となるように高温水バイパス流路の流路径可変手段の開度を適切に調整するので、より安定した往き温度の温水を低温端末機に供給することができる。
【００５０】
【実施例】
以下本発明の実施例について、図面を参照しながら説明する。なお、各実施例における温水暖房装置の熱源機および各端末機を含めた全体の暖房システムにおいて、従来の技術で説明した図１７に示す温水暖房装置の熱源機および各端末機を含めた全体の温水暖房システムと同一構造および作用効果を奏するものには同一符号を付して詳細な説明を省略し、異なるところを中心に説明する。
【００５１】
（実施例１）
図１は、本発明の実施例１における温水暖房装置の熱源機Ｈ１および各端末機を含めた全体の温水暖房システムを示す構成図である。また図２（ａ）は、本発明の実施例１における温水暖房装置において、単独低温端末運転時における熱源機内部での温水の流れ、および図２（ｂ）は同時高低温端末運転時の熱源機内部での温水の流れを示すものである。
【００５２】
図１において、低温端末機に流れる温水温度を検知する低温端末往き温水温度検知手段としての低温端末往き温水サーミスタ３０は、低温端末側温水往き流路１６内に配置されている。制御手段２７は単独低温端末運転時、低温端末往き温水サーミスタ３０で検知した信号を取り込んで低温端末往き温水温度が所定値（例えば６０℃）となるように燃料ガス供給装置１および燃焼ファン２の回転数を制御して、熱交換部４の加熱源としてのバーナ３の加熱量である燃焼量を制御し、また同時高低温端末運転時には熱交換部出口温水温度検知手段としての熱交換部出口サーミスタ５で検知される温水温度に基き、高温水必要温度の所定値（例えば８０℃）となるように燃料ガス供給装置１および燃焼ファン２の回転数を制御して、バーナ３の燃焼量を制御するシーケンスを実行する。
【００５３】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【００５４】
このように構成された温水暖房装置について、単独低温端末運転時および同時高低温端末運転時につき以下その動作と作用を説明する。
【００５５】
単独低温端末運転の場合、ある低温端末機の運転開始命令が入力されると、温水循環ポンプ６が作動し暖房回路内に温水搬送を開始する。燃料ガス供給装置１によって供給された燃料ガスは、燃焼ファン２によって送り込まれた空気と混合されることによってバーナ３で燃焼され、熱交換部４に搬送された温水が加熱される。
【００５６】
低温端末機への温水の流れは、図２（ａ）の単独低温端末運転時における温水の流れに示すように、低温端末側バイパス流路１５を流れる端末機で放熱し温度の低下した戻り温水と、高温水バイパス流路１０を流れる熱交換部４で加熱された高温水が、低温端末側バイパス流路１５および高温水バイパス流路１０の流路抵抗特性によってある流量比率で混合し、低温端末側温水往き流路１６を通って低温端末機側へ流れる。
【００５７】
ここでは低温端末側温水往き流路１６を流れる低温端末機循環流量を１００％として、（戻り温水流量）：（高温水流量）＝２５％：７５％となるような流量比率の場合を示している。ここで、低温端末往き温水サーミスタ３０で検知される低温往き温水温度が所定値（例えば６０℃）となるように制御手段２７による燃料ガス供給装置１および燃焼ファン２でのバーナ３への燃料ガス供給量および燃焼用空気を調整し、バーナ３の燃焼量を制御する。
【００５８】
図１において、低温端末側温水往き流路１６を流れた低温側往き温水は、各低温端末機２６Ａ、２６Ｂ、２６Ｃへの温水流入を開閉する各低温端末温水弁２３Ａ、２３Ｂ、２３Ｃを配置した低温端末側往きヘッダー２４へ流れる。各低温端末側往き配管１７Ａ、１７Ｂ、１７Ｃを流れた低温側往き温水は、各低温端末機２６Ａ、２６Ｂ、２６Ｃで放熱し、各低温端末側戻り配管１９Ａ、１９Ｂ、１９Ｃおよび温水戻り流路Ａ２０を流れて熱源機Ｈ１へと戻る。温水戻り流路Ａ２０を流れた戻り温水は、機内循環温水バイパス流路１１を流れる熱交換部４で加熱された高温水の一部と混ざり、温水戻り流路Ｂ２１を通って、温水タンク７へ流れ、温水循環ポンプ６によって循環搬送が繰り返される。
【００５９】
同時高低温端末運転の場合、図２（ｂ）に示す温水の流れとなり、高温端末に供給する高温水温度を優先的に確保するため、熱交換部出口温水温度検知手段としての熱交換部出口サーミスタ５で検知される温水の温度が、高温水必要温度の所定値（例えば８０℃）となるように制御手段２７による燃料ガス供給装置１および燃焼ファン２でのバーナ３への燃料ガス供給量および燃焼用空気を調整し、バーナ３の燃焼量が制御されるため、従来の技術における温水暖房装置の構成と同様の低温端末往き温水温度特性となる。
【００６０】
以上のように、本実施例においては低温端末往き温水温度検知手段を低温端末側温水往き流路に設け、制御手段は単独低温端末運転時に低温端末往き温水温度検知手段で検知される低温端末往き温水温度が所定値（例えば６０℃）となるように熱交換部の加熱源を制御するので、より安定した往き温度の温水を低温端末機に供給することができる。
【００６１】
（実施例２）
図３は、本発明の実施例２における温水暖房装置の熱源機Ｈ２および各端末機を含めた全体の温水暖房システムを示す構成図である。また図４（ａ）は、本発明の実施例２における温水暖房装置において、単独低温端末運転時の熱源機内部での温水の流れ、および図４（ｂ）は、同時高低温端末運転時の熱源機内部での温水の流れを示すものである。
【００６２】
図３において、低温端末側バイパス流路１５は途中に流路を開閉する開閉手段としての開閉弁３１を設けている。そして、開閉弁３１としては、例えばモータで開閉状態を駆動する構成が考えられる。
【００６３】
制御手段２７は、単独低温端末運転時には開閉弁３１を閉じて低温端末側バイパス流路１５を閉じ、熱交換部出口サーミスタ５で検知される高温水温度が低温端末機側で所定値（例えば６０℃）となるように燃料ガス供給装置１での燃料ガス供給量および燃焼ファン２の回転数を調整してバーナ３の燃焼量を制御し、同時高低温端末運転時には開閉弁３１を開いて低温端末側バイパス流路１５を開くとともに、熱交換部出口サーミスタ５で検知される温水温度に基き、高温水必要温度の所定値（例えば８０℃）となるように燃料ガス供給装置１での燃料ガス供給量および燃焼ファン２の回転数を調整してバーナ３の燃焼量を制御するシーケンスを実行する。
【００６４】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【００６５】
このように構成された温水暖房装置について、単独低温端末運転時および同時高低温端末運転時につき以下その動作と作用を説明する。
【００６６】
単独低温端末運転の場合、ある低温端末機の運転開始命令が入力されると、開閉弁３１に対して制御手段２７は開閉弁開閉信号として、開閉弁「閉」命令信号を入力し、開閉弁３１は「閉」となり、温水循環ポンプ６が作動し暖房回路内に温水搬送を開始する。
【００６７】
燃料ガス供給装置１によって供給された燃料ガスは、燃焼ファン２によって送り込まれた空気と混合することによってバーナ３で燃焼され、図４（ａ）の単独低温端末運転時における温水の流れに示すように、温水戻り流路Ｂ２１を流れる端末機で放熱し温度の低下した戻り温水は、すべて熱交換部４に搬送され加熱される。
【００６８】
ここで制御手段２７は、熱交換部出口サーミスタ５で検知される高温水温度が低温端末機側で必要な所定値（例えば６０℃）となるようにバーナ３への燃料ガス供給装置１での燃料ガス供給量および燃焼ファン２による空気を調整し、バーナ３の燃焼量を制御する。熱交換部４で所定値（例えば６０℃）となるように加熱された高温水は、高温水往き流路８、高温水バイパス流路１０、低温端末側温水往き流路１６を通ってすべて低温端末機側へ流れる。
【００６９】
一方、同時高低温端末運転の場合、高温端末機の運転開始命令が入力されると、開閉弁３１に対して制御手段２７は開閉弁開閉信号として、開閉弁「開」命令信号を入力し、開閉弁３１は「開」となる。そして、同時高低温端末運転の場合には高温端末に供給する高温水温度を優先的に確保するため、熱交換部出口サーミスタ５で検知される温水の温度が、高温水必要温度の所定値（例えば８０℃）となるように制御手段２７により燃料ガス供給装置１での燃料ガス供給量および燃焼ファン２による空気を調整し、バーナ３の燃焼量が制御されるため、低温端末側バイパス流路１５および高温水バイパス流路１０の流路抵抗特性を図１７で示す従来の温水暖房装置の構成と同様にすれば、従来の温水暖房装置の構成と同様の低温端末往き温水温度特性となる。
【００７０】
以上のように、本実施例においては開閉手段を低温端末側バイパス流路に設け、制御手段は単独低温端末運転時には低温端末側バイパス流路を開閉手段によって閉じ、熱交換部出口温水温度検知手段で検知される高温水温度が所定値（例えば６０℃）となるように熱交換部の加熱源の加熱量を制御し、熱交換部で所定値（例えば６０℃）に加熱された高温水がすべて低温端末側に流れるので、より安定した往き温度の温水を低温端末機に供給することができる。
【００７１】
（実施例３）
図５は、本発明の実施例３における温水暖房装置の熱源機Ｈ３および各端末機を含めた全体の温水暖房システムを示す構成図である。また図６（ａ）は、本発明の実施例３における温水暖房装置において、単独低温端末運転時の熱源機内部での温水の流れ、および図６（ｂ）は、同時高低温端末運転時の熱源機内部での温水の流れを示すものである。
【００７２】
図５において、低温端末側バイパス流路１５は、それぞれの流路が開閉手段である開閉弁３１を有する複数流路３１ａを並列接続して構成したものである。また、低温端末側温水往き流路１６には、流れる温水の温度を検知する低温端末往き温水温度検知手段としての低温端末往き温水サーミスタ３０を設けている。
【００７３】
制御手段２７は単独低温端末運転時に低温端末機の使用数に応じて適切に前記各開閉弁３１を開閉し、かつ低温端末往き温水サーミスタ３０で検知した信号を取り込んで低温端末往き温水温度が所定値（例えば６０℃）となるように燃料ガス供給装置１および燃焼ファン２の回転数を制御してバーナ３の燃焼量を制御し、同時高低温端末運転時には熱交換部出口サーミスタ５の検知信号に基き高温水温度が所定値（例えば８０℃）となるように燃料ガス供給装置１および燃焼ファン２の回転数を制御し、かつ低温端末往き温水サーミスタ３０の検知信号に基き低温端末機に流れる温水温度が所定の温度域となるように前記各開閉弁３１を開閉する制御シーケンスを実行する。
【００７４】
すなわち、制御手段２７は単独低温端末運転時には低温端末側バイパス流路１５の複数流路３１ａを低温端末機の使用系統数に応じて適切に開閉して、低温端末往き温水サーミスタ３０の検知信号を取り込み、かつ検知される低温端末往き温水温度を必要な所定値（例えば６０℃）となるように燃料ガス供給装置１での燃料ガス供給量および燃焼ファン２の回転数を調整してバーナ３の燃焼量を制御し、また同時高低温端末運転時には熱交換部出口サーミスタ５の検知信号に基き、その検知される高温水温度を高温端末機側で必要な所定値（例えば８０℃）になるように燃料ガス供給装置１での燃料ガス供給量および燃焼ファン２の回転数を調整してバーナ３の燃焼量を制御し、さらに低温端末往き温水サーミスタ３０の検知信号に基づき、その検知される低温往き温水温度が低温端末機側で必要な所定値（例えば６０℃）に対してある温度域（例えば温度幅を５℃として低温往き温水温度が５５℃から６５℃）となるように、複数（ここでは２つ）のうち常時開の開閉弁３１（ここでは１つ）以外の開閉弁３１（ここでは１つ）を開閉する。
【００７５】
また、制御手段２７はマイクロコンピュータおよびその周辺回路で構成され、全体的な温水暖房装置の運転と、上記した制御シーケンスを実行するプログラムを内蔵している。
【００７６】
このように本実施例は、実施例２の発明と異なるところは、低温端末側温水往き流路１６内に低温端末往き温水サーミスタ３０を配置したことと、低温端末側バイパス流路１５をそれぞれ開閉弁３１を有する複数流路を並列接続して構成したことである。本実施例では複数流路として２つの流路を想定した場合を示している。図中、制御手段２７から導出した点線および実線は、制御信号の配線である。
【００７７】
このように構成された温水暖房装置について、単独低温端末運転時および同時高低温端末運転時につき以下その動作と作用を説明する。
【００７８】
単独低温端末運転の場合、ある低温側端末機の運転開始命令が入力されると、２つの開閉弁３１に対して制御手段２７は開閉弁開閉信号として、開閉弁「閉」命令信号を入力し、２つの開閉弁３１は「閉」となり、温水循環ポンプ６が作動し暖房回路内に温水搬送を開始する。燃料ガス供給装置１によって供給された燃料ガスは、燃焼ファン２によって送り込まれた空気と混合することによってバーナ３で燃焼され、図６（ａ）の単独低温端末運転時における温水の流れに示すように、温水戻り流路Ｂ２１を流れる端末機で放熱し温度の低下した戻り温水は、すべて熱交換部４に搬送され加熱される。
【００７９】
ここで、制御手段２７は低温端末往き温水サーミスタ３０で検知される低温往き温水温度が所定値（例えば６０℃）となるように燃料ガス供給装置１での燃料ガス供給量および燃焼ファン２の回転数を調整しバーナ３の燃焼量を制御する。こうして熱交換部４で所定値（例えば６０℃）となるように加熱された高温水は、高温水往き流路８、高温水バイパス流路１０、低温端末側温水往き流路１６を通ってすべて低温端末側へ流れる。
【００８０】
ところで上記のように単独低温端末運転時に、２つの開閉弁３１を閉じて温水戻り流路Ｂ２１を流れる端末機で放熱し温度の低下した戻り温水をすべて熱交換部４に搬送し、高温水往き流路８、高温水バイパス流路１０、低温端末側温水往き流路１６を通って低温端末機側へ流す流路構成とするならば、必要な低温往き温水温度の所定値（例えば６０℃）の検知を熱交換部出口サーミスタ５で行うか、低温端末往き温水サーミスタ３０で行うかの違いだけで、実施例２における単独低温端末運転時の温水の流れと同様である。
【００８１】
すなわち、低温端末機の使用系統数が少なく（例えば２系統以下）、低温端末機に供給する合計の低温端末機循環流量が少ない（例えば６Ｌ／ｍｉｎ以下）場合は、実施例２における単独低温端末運転時の流路構成や、本実施例の単独低温端末運転時に二つの開閉弁３１をすべて閉とする流路構成で問題はないが、低温端末機の使用系統数が多くなると、それだけ低温端末機に供給する合計の低温端末機循環流量も増えるため、十分大きな低温端末機循環流量を確保できず各低温端末機に流れる低温端末機循環流量が小さくなり、各低温端末機での放熱性が悪化することが考えられる。
【００８２】
そこで、本実施例の低温端末側バイパス流路１５としてそれぞれの流路が開閉弁３１を有する複数（図５においては２つ）流路構成において、低温端末機の使用系統数によって単独低温端末運転時に開閉弁３１を適切に開閉し、低温端末往き温水サーミスタ３０で検知される低温往き温水温度が所定値（例えば６０℃）となるように燃料ガス供給装置１での燃料ガス供給量および燃焼ファン２の回転数を調整しバーナ３の燃焼量を制御すれば、低温端末機の使用系統数が増え多くの低温端末循環流量を必要とする場合でも対応できる。
【００８３】
すなわち、低温端末機の使用系統数と２つの開閉弁３１の開閉状態としては例えば、低温端末機の使用系統数が２系統以下の時は２つの開閉弁３１を共に「閉」とし、低温端末機の使用系統数が３系統あるいは４系統の時は２つの開閉弁３１の一方を「閉」に他方を「開」とし、低温端末機の使用系統数が５系統以上の時は２つの開閉弁３１を共に「開」とすることが考えられる。
【００８４】
このように低温端末機の使用系統数に応じて２つの開閉弁３１の開閉状態を決定すると、使用系統数が少ないときは熱交換部４で加熱された所定値（例えば６０℃）の高温水が直接低温端末機に流れるため、低温端末機に所定値（例えば６０℃）の温水が供給されるまでの時間が早められ、使用系統数が多いときはより多くの低温端末温水循環流量を供給できるという長所が挙げられる。
【００８５】
同時高低温端末運転の場合、高温端末機の運転開始命令が入力されると、２つの開閉弁３１に対して制御手段２７は開閉弁開閉信号として、一方の開閉弁３１に対して開閉弁常時「開」命令信号、他方の開閉弁３１に対して開閉弁「開」または「閉」命令信号を入力し、その結果一方の開閉弁３１は常時「開」に他方の開閉弁３１は「開」または「閉」となる。同時高低温端末運転の場合には高温端末に供給する高温水温度を優先的に確保するため、熱交換部出口サーミスタ５で検知される温水の温度が、高温水必要温度の所定値（例えば８０℃）となるように制御手段２７により燃料ガス供給装置１での燃料ガス供給量および燃焼ファン２の回転数を調整しバーナ３の燃焼量が制御される。この時の温水暖房装置における熱源機内の低温端末機側への温水は、図６（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機へ流れる。
【００８６】
実施例１や実施例２における同時高低温端末運転時の低温端末往き温水温度特性は従来の温水暖房装置の構成と同様であったが、本実施例３における同時高低温端末運転時においては、２つの開閉弁３１のうち一方は常時「開」とし、他方の開閉弁３１を低温端末往き温水サーミスタ３０で検知される低温端末往き温水温度に応じて開閉させ、完全に低温端末往き温水温度を必要な所定値（例えば６０℃）には制御することができないが、従来の温水暖房装置の構成における同時高低温端末運転時の低温端末往き温水温度特性よりも、より安定した往き温度の温水を低温端末機に供給することができる。
【００８７】
すなわち、低温端末往き温水サーミスタ３０で検知される低温端末往き温水温度に応じて開閉させる上記した他方の開閉弁３１の開閉パターンとしては例えば、必要な所定値（例えば６０℃）よりもある値（例えば５℃）高い温度（例えば６５℃）以上では温度低下した戻り温水量を増すため「開」とし、必要な所定値（例えば６０℃）よりもある値（例えば５℃）低い温度（例えば５５℃）以下では温度低下した戻り温水量を減らすため「閉」とすることが考えられる。
【００８８】
以上のように本実施例においては、低温端末側温水往き流路に低温端末往き温水温度検知手段を設け、かつ低温端末側バイパス流路としてそれぞれの流路が開閉手段を有する複数流路の構成とし、制御手段は単独低温端末運転時には複数の低温端末側バイパス流路を低温端末機の使用系統数に応じて適切に開閉して、低温端末往き温水温度検知手段で検知される低温端末往き温水温度を必要な所定値（例えば６０℃）となるように熱交換部の加熱源を制御し、また同時高低温端末運転時には熱交換部出口温水温度検知手段で検知される高温水温度を高温端末機側で必要な所定値（例えば８０℃）になるように熱交換部の加熱源を制御し、低温端末往き温水温度検知手段で検知される低温往き温水温度が低温端末機側で必要な所定値（例えば６０℃）に対してある温度域（例えば温度幅を５℃として低温往き温水温度が５５℃から６５℃）となるように、複数（ここでは２つ）のうち常時開の開閉手段（ここでは１つ）以外の開閉手段（ここでは１つ）を開閉するので、より安定した往き温度の温水を低温端末機に供給することができる。
【００８９】
（実施例４）
図７（ａ）は、本発明の実施例４における温水暖房装置の熱源機Ｈ４および各端末機を含めた全体の温水暖房システムの構成図を示すものである。また図８（ａ）は、本発明の実施例４における温水暖房装置において、単独低温端末運転時の熱源機内部での温水の流れ、および図８（ｂ）は、同時高低温端末運転時の熱源機内部での温水の流れを示すものである。本実施例は、それぞれの流路が開閉弁を有する複数流路の並列接続で高温水バイパス流路を構成した点で実施例１の発明と異なり、それ以外の構成並びに作用効果は同じである。
【００９０】
図７（ａ）において、高温水バイパス流路１０としてそれぞれの流路が開閉弁３１を有する複数流路３１ａを並列接続した構成とし、そして複数流路３１ａとして２つの流路を想定した場合を示している。なお、この開閉弁３１を有する複数流路３１ａは、図７（ｂ）に示すように逆流防止手段９の下流における高温水バイパス流路１０に設けても良いものである。
【００９１】
制御手段２７は単独低温端末運転時には複数の開閉弁３１を全て開とし、同時高低温端末運転時には熱交換部出口サーミスタ５の検知信号に基き高温水温度が所定値となるように熱交換部４の加熱源であるバーナ３の燃焼量を制御し、かつ低温端末往き温水サーミスタ３０の検知信号に基き低温端末機に流れる温水温度が所定の温度域となるように各開閉弁３１を開閉する制御シーケンスを実行する。
【００９２】
すなわち、制御手段２７は単独低温端末運転時に二つの開閉弁３１を開に制御し複数の高温水バイパス流路１０をすべて開とし、低温端末往き温水サーミスタ３０の検知信号を取り込み、かつ検知される低温端末往き温水温度を必要な所定値（例えば６０℃）となるように燃料ガス供給装置１での燃料ガス供給量および燃焼ファン２を調整してバーナ３の燃焼量を制御し、同時高低温端末運転時には熱交換部出口サーミスタ５の検知信号を取り込み、その検知される高温水温度を高温端末機側で必要な所定値（例えば８０℃）になるように燃料ガス供給装置１での燃料ガス供給量および燃焼ファン２を調整してバーナ３の燃焼量を制御し、さらに低温端末往き温水サーミスタ３０の検知信号を取り込み、かつ検知される低温往き温水温度が低温端末機側で必要な所定値（例えば６０℃）に対してある温度域（例えば温度幅を５℃として低温往き温水温度が５５℃から６５℃）となるように、複数（ここでは２つ）のうち常時開の開閉弁３１（ここでは１つ）以外の開閉弁３１（ここでは１つ）を開閉する。
【００９３】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【００９４】
このように構成された温水暖房装置について、単独低温端末運転時および同時高低温端末運転時につき以下その動作と作用を説明する。
【００９５】
単独低温端末運転の場合、ある低温端末機の運転開始命令が入力されると、２つの開閉弁３１に対して制御手段２７は開閉弁開閉信号として、開閉弁常時「開」命令信号を入力し、２つの開閉弁３１は常時「開」となり、温水循環ポンプ６が作動し暖房回路内に温水搬送を開始する。
【００９６】
燃料ガス供給装置１によって供給された燃料ガスは、燃焼ファン２によって送り込まれた空気と混合することによってバーナ３で燃焼され、図８（ａ）の単独低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【００９７】
ここで、制御手段２７は低温端末往き温水サーミスタ３０で検知される低温往き温水温度が所定値（例えば６０℃）となるように燃料ガス供給装置１での燃料ガス供給量および燃焼ファン２の回転数を調整しバーナ３の燃焼量を制御するため、より安定した往き温度の温水を低温端末機に供給することができる。
【００９８】
同時高低温端末運転の場合、高温端末機の運転開始命令が入力されると、２つの開閉弁３１に対して制御手段２７は開閉弁開閉信号として、一方の開閉弁３１に対して開閉弁常時「開」命令信号、他方の開閉弁３１に対して開閉弁「開」または「閉」命令信号を入力し、一方の開閉弁３１は常時「開」に他方の開閉弁３１は「開」または「閉」となる。
【００９９】
同時高低温端末運転の場合には高温端末機に供給する高温水温度を優先的に確保するため、熱交換部出口サーミスタ５で検知される温水の温度が、高温水必要温度の所定値（例えば８０℃）となるように制御手段２７により燃料ガス供給装置１での燃料ガス供給量および燃焼ファン２の回転数を調整し、バーナ３の燃焼量が制御される。この時の温水暖房装置内の低温端末機側への温水は、図８（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【０１００】
実施例１や実施例２における同時高低温端末運転時の低温端末往き温水温度特性は、従来の温水暖房機の構成と同様であり、本実施例４における同時高低温端末運転時においては、２つの開閉弁３１のうち、一方は常時「開」とし、他方の開閉弁３１を低温端末往き温水サーミスタ３０で検知される低温端末往き温水温度に応じて開閉させ、完全に低温端末往き温水温度を必要な所定値（例えば６０℃）に制御することはできないが、従来の温水暖房装置における同時高低温端末運転時の低温端末往き温水温度特性よりも、より安定した往き温度の温水を低温端末機に供給することができる。
【０１０１】
すなわち、低温端末往き温水サーミスタ３０で検知される低温端末往き温水温度に応じて開閉させる開閉弁３１の開閉パターンとしては例えば、必要な所定値（例えば６０℃）よりもある値（例えば５℃）高い温度（例えば６５℃）以上では高温水の混合量を減らすため「閉」とし、必要な所定値（例えば６０℃）よりもある値（例えば５℃）低い温度（例えば５５℃）以下では高温水の混合量を増すため「開」とすることが考えられる。
【０１０２】
以上のように、本実施例においては低温端末側温水往き流路内に低温端末往き温水温度検知手段を設け、高温水バイパス流路としては、それぞれの流路が開閉手段を有する複数流路の構成とし、制御手段は単独低温端末運転時には複数の高温水バイパス流路をすべて開とし、低温端末往き温水温度検知手段で検知される低温端末往き温水温度を必要な所定値（例えば６０℃）となるように熱交換部の加熱源の加熱量を制御し、同時高低温端末運転時には熱交換部出口温水温度検知手段で検知される高温水温度を高温端末機側で必要な所定値（例えば８０℃）になるように熱交換部の加熱源の加熱量を制御し、低温端末往き温水温度検知手段で検知される低温往き温水温度が低温端末機側で必要な所定値（例えば６０℃）に対してある温度域（例えば温度幅を５℃として低温往き温水温度が５５℃から６５℃）となるように、複数（ここでは２つ）のうち常時開の開閉手段（ここでは１つ）以外の開閉手段（ここでは１つ）を開閉するので、より安定した往き温度の温水を低温端末機に供給することができる。
【０１０３】
（実施例５）
図９は、本発明の実施例５における温水暖房装置の熱源機Ｈ５および各端末機を含めた全体の温水暖房システムの構成図を示すものである。また図１０（ａ）は、本発明の実施例５における温水暖房装置において、単独低温端末運転時の温水暖房装置内部での温水の流れ、および図１０（ｂ）は、同時高低温端末運転時の温水暖房装置内部での温水の流れを示すものである。なお本実施例は、低温端末側バイパス流路に流路径開度を任意に調整可能な流路径可変弁を設けた点で、実施例１〜実施例４の発明と異なり、それ以外の構成並びに作用効果は同じである。
【０１０４】
図９において、低温端末側バイパス流路１５は流路径開度を任意に調整することのできる流路径可変手段としての流路径可変弁３２を設けている。この流路径可変弁３２としては、例えば制御手段２７からの流路径開閉パルス信号に応じて、ステッピングモータを駆動して流路径可変弁３２の開度を段階的に調整する構成が考えられる。
【０１０５】
制御手段２７は単独低温端末運転時には低温端末機の使用系統数に応じた流路径可変弁３２の開度を保つとともに、低温端末往き温水サーミスタ３０の検知信号を取り込み、かつ検知される低温往き温水温度が所定値（例えば６０℃）となるように燃料ガス供給装置１での燃料ガス供給量および燃焼ファン２の回転数を調整してバーナ３の燃焼量を制御し、同時高低温端末運転時には熱交換部出口サーミスタ５の検知信号を取り込み、かつ検知される高温水温度を高温端末機側で必要な所定値（例えば８０℃）になるように燃料ガス供給装置１での燃料ガス供給量および燃焼ファン２の回転数を調整してバーナ３の燃焼量を制御し、さらに低温端末往き温水サーミスタ３０の検知信号を取り込み、かつ検知される低温往き温水温度が所定値（例えば６０℃）となるように流路径可変弁３２の開度を制御するシーケンスを実行するものである。
【０１０６】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【０１０７】
このように構成された温水暖房装置について、単独低温端末運転時および同時高低温端末運転時につき以下その動作と作用を説明する。
【０１０８】
単独低温端末運転の場合、ある低温端末機の運転開始命令が入力されると、流路径可変弁３２に対して制御手段２７は流路径可変弁制御信号として、ある開度だけ「開」命令信号を入力し低温端末側バイパス流路１５の流路径はある開度に保たれ、温水循環ポンプ６が作動し暖房回路内に温水搬送を開始する。
【０１０９】
ここで、流路径可変弁３２の開度としては低温端末機の使用系統数に応じて供給する合計の低温端末機循環流量を確保するように例えば、低温端末機の使用系統数が２系統以下の時は流路径可変弁３２の開度を０％（全閉）とし、低温端末機の使用系統数が３系統あるいは４系統の時は流路径可変弁３２の開度を５０％とし、低温端末機の使用系統数が５系統以上の時は流路径可変弁３２の開度を１００％（全開）とすることが考えられる。
【０１１０】
図１０（ａ）に本発明の実施例５における温水暖房装置において単独低温端末運転時の温水の流れを示すもので、ここでは特に低温端末機の使用系統数が２系統以下の少ない場合を想定した流路径可変弁３２の開度が０％（全閉）とした場合を示している。燃料ガス供給装置１によって供給された燃料ガスは、燃焼ファン２によって送り込まれた空気と混合することによってバーナ３で燃焼され、図１０（ａ）の単独低温端末運転時における温水の流れに示すように、温水戻り流路Ｂ２１を流れる端末機で放熱し温度の低下した戻り温水は、すべて熱交換部４に搬送され加熱される。
【０１１１】
ここで、制御手段２７は低温端末往き温水サーミスタ３０で検知される低温往き温水温度が所定値（例えば６０℃）となるように燃料ガス供給装置１での燃料ガス供給量および燃焼ファン２の回転数を調整しバーナ３の燃焼量を制御する。こうして熱交換部４で所定値（例えば６０℃）となるように加熱された高温水は、高温水往き流路８、高温水バイパス流路１０、低温端末側温水往き流路１６を通ってすべて低温端末機側へ流れる。
【０１１２】
また流路径可変弁３２の開度が０％（全閉）でなく、低温端末側バイパス流路１５に戻り温水の流入が存在する場合には、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。この場合も、制御手段２７は低温端末往き温水サーミスタ３０で検知される低温往き温水温度が所定値（例えば６０℃）となるように燃料ガス供給装置１での燃料ガス供給量および燃焼ファン２の回転数を調整しバーナ３の燃焼量を制御する。
【０１１３】
同時高低温端末運転の場合、高温端末機の運転開始命令が入力されると、高温端末機に供給する高温水温度を優先的に確保するため、熱交換部出口サーミスタ５で検知される温水の温度が、高温水必要温度の所定値（例えば８０℃）となるように制御手段２７により燃料ガス供給装置１での燃料ガス供給量および燃焼ファン２の回転数を調整しバーナ３の燃焼量が調節される。
【０１１４】
制御手段２７は流路径可変弁３２に対して、低温端末往き温水サーミスタ３０で検知される低温端末往き温水温度が低温端末往き温度の必要な所定値（例えば６０℃）となるように、流路径可変弁制御信号を入力し流路径可変弁３２の開度を保つ。この時、図１０（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機へ流れる。
【０１１５】
以上のように本実施例においては、低温端末側温水往き流路に低温端末往き温水温度検知手段を設け、低温端末側バイパス流路には流路径開度を任意に調整可能な流路径可変手段を設け、制御手段は単独低温端末運転時には低温端末機の使用系統数に応じた流路径可変手段の開度を保って低温端末往き温水温度検知手段で検知される低温往き温水温度が所定値（例えば６０℃）となるように熱交換部の加熱源の加熱量を制御し、同時高低温端末運転時には熱交換部出口温水温度検知手段で検知される高温水温度を高温端末機側で必要な所定値（例えば８０℃）になるように熱交換部の加熱源の加熱量を制御し、かつ低温端末往き温水温度検知手段で検知される低温往き温水温度が所定値（例えば６０℃）となるように流路径可変手段の開度を制御するので、より安定した往き温度の温水を低温端末機に供給することができる。
【０１１６】
（実施例６）
図１１（ａ）は、本発明の実施例６における温水暖房装置の熱源機Ｈ６および各端末機を含めた全体の温水暖房システムの構成図を示すものである。また図１２（ａ）は同温水暖房装置において、単独低温端末運転時の熱源機内部での温水の流れ、および図１２（ｂ）は同時高低温端末運転時の熱源機内部での温水の流れを示すものである。なお、実施例１〜実施例４および実施例５の温水暖房装置における熱源機および各端末機を含めた全体の温水暖房システムと同一構造のものは同一符号を付し、詳細な説明は省略する。
【０１１７】
図１１（ａ）において、実施例１の図１と異なるところは、高温水バイパス流路１０に流路径開度を任意に調整することのできる流路径可変手段としての流路径可変弁３２を設けたことである。また、この流路径可変弁３２は、図１１（ｂ）に示すように逆流防止手段９の下流における高温水バイパス流路１０に配置しても同じ流路構成である。
【０１１８】
制御手段２７は単独低温端末運転時には流路径可変弁３２を全開に制御し、かつ低温端末往き温水サーミスタ３０の検知信号に基き低温端末往き温水温度が所定値となるように熱交換部４を加熱するバーナ３の燃焼量を制御し、同時高低温端末運転時には熱交換部出口サーミスタ５の検知信号に基き高温水温度が所定値となるように熱交換部４を加熱するバーナ３の燃焼量を制御し、かつ低温端末往き温水サーミスタ３０の検知信号に基き低温端末機に流れる温水温度が所定値となるように流路径可変弁３２を制御するシーケンスを実行する。
【０１１９】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【０１２０】
このように構成された温水暖房装置について、単独低温端末運転時および同時高低温端末運転時につき以下その動作と作用を説明する。
【０１２１】
単独低温端末運転の場合、ある低温端末機の運転開始命令が入力されると、流路径可変弁３２に対して制御手段２７は流路径可変弁制御信号として、開度１００％「開」命令信号を入力し高温水バイパス流路１０の流路径を全開に保ち、温水循環ポンプ６が作動し暖房回路内に温水搬送が開始される。
【０１２２】
燃料ガス供給装置１によって供給された燃料ガスは、燃焼ファン２によって送り込まれた空気と混合することによってバーナ３で燃焼され、図１２（ａ）の単独低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【０１２３】
ここで低温端末往き温水サーミスタ３０で検知される低温往き温水温度が所定値（例えば６０℃）となるように燃料ガス供給装置１での燃料ガス供給量および燃焼ファン２の回転数を調整し、バーナ３の燃焼量が制御される。
【０１２４】
同時高低温端末運転の場合、高温端末機の運転開始命令が入力されると、高温端末機に供給する高温水温度を優先的に確保するため、熱交換部出口サーミスタ５で検知される温水の温度が、高温水必要温度の所定値（例えば８０℃）となるように制御手段２７により燃料ガス供給装置１での燃料ガス供給量および燃焼ファン２の回転数を調整し、バーナ３の燃焼量が制御される。
【０１２５】
制御手段２７は流路径可変弁３２に対して、低温端末往き温水サーミスタ３０で検知される低温端末往き温水温度が低温端末往き温度の必要な所定値（例えば６０℃）となるように、流路径可変弁制御信号を入力し流路径可変弁３２の開度を保つ。この時、図１２（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機へ流れる。
【０１２６】
以上のように、本実施例においては低温端末側温水往き流路に低温端末往き温水温度検知手段を配置し、高温水バイパス流路に流路径開度を任意に調整することのできる流路径可変手段を配置し、単独低温端末運転時には流路径可変手段の開度を１００％に保って低温端末往き温水温度検知手段で検知される低温往き温水温度が所定値（例えば６０℃）となるように熱交換部の加熱源の加熱量を制御し、同時高低温端末運転時には熱交換部出口温水温度検知手段で検知される高温水温度を高温端末機側で必要な所定値（例えば８０℃）になるように熱交換部の加熱源の加熱量を制御し、かつ低温端末往き温水温度検知手段で検知される低温往き温水温度が所定値（例えば６０℃）となるように流路径可変手段の開度を調整するので、より安定した往き温度の温水を低温端末機に供給することができる。
【０１２７】
（実施例７）
図１３（ａ）は、本発明の実施例７における温水暖房装置の熱源機Ｈ７および各端末機を含めた全体の温水暖房システムの構成図を示すものである。また図１４（ａ）は、同温水暖房装置において、単独低温端末運転時における熱源機内部での温水の流れ、および図１４（ｂ）は同時高低温端末運転時における熱源機内部での温水の流れを示すものである。なお、実施例１〜実施例５および実施例６における温水暖房装置の熱源機および各端末機を含めた全体の温水暖房システムと同一構造並びに作用効果を奏するのものは同一符号を付して詳細な説明は省略する。
【０１２８】
図１３（ａ）において、実施例１の図１と異なるところは、低温端末側バイパス流路１５に開閉弁３１を設け、また高温水バイパス流路１０としてそれぞれの流路が開閉弁３１を有し、並列接続した複数流路３１ａの構成としたことである。図１３（ａ）では複数流路３１ａとして２つの流路を想定した場合を示している。また、この開閉弁３１を有する複数流路３１ａは図１３（ｂ）に示すように逆流防止手段９の下流における高温水バイパス流路１０に設けても同じ流路構成である。
【０１２９】
制御手段２７は単独低温端末運転時には低温端末側バイパス流路１５の開閉弁３１を適切に開閉するとともに、高温水バイパス流路１０の複数の開閉弁３１をすべて開とし、かつ低温端末往き温水サーミスタ３０の検知信号に基き低温端末往き温水温度が所定値となるように熱交換部４の加熱源であるバーナ３の加熱量である燃焼量を制御し、同時高低温端末運転時には低温端末側バイパス流路１５の開閉弁３１を開に制御するとともに、熱交換部出口サーミスタ５の検知信号に基き高温水温度が所定値となるように熱交換部４の加熱源であるバーナ３の加熱量である燃焼量を制御し、かつ低温端末往き温水サーミスタ３０の検知信号に基き低温端末機に流れる温水温度が所定の温度域となるように高温水バイパス流路１０の各開閉弁３１を開閉する制御シーケンスを実行するものである。
【０１３０】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【０１３１】
このように構成された温水暖房装置について、単独低温端末運転時および同時高低温端末運転時につき以下その動作と作用を説明する。
【０１３２】
低温単独運転の場合、ある低温端末機の運転開始命令が入力されると、低温端末側バイパス流路１５の開閉弁３１に対して制御手段２７は開閉弁開閉信号として、「開」または「閉」命令信号を入力して低温端末側バイパス流路１５を「開」または「閉」とし、高温水バイパス流路１０の２つの開閉弁３１に対して制御手段２７は共に「開」命令信号を入力して高温水バイパス流路１０を全開とする。
【０１３３】
燃料ガス供給装置１によって供給された燃料ガスは、燃焼ファン２によって送り込まれた空気と混合することによってバーナ３で燃焼され、図１４（ａ）の単独低温端末運転時における温水の流れに示すように、温水戻り流路Ｂ２１を流れる端末機で放熱し温度の低下した戻り温水をすべて熱交換部４に搬送して熱交換部４で加熱し、高温水往き流路８、高温水バイパス流路１０、低温端末側温水往き流路１６を通って低温端末機側へ流れる。そして、ここで低温端末機側へ流れる温水は、低温端末往き温水サーミスタ３０で検知される低温往き温水温度が所定値（例えば６０℃）となるように制御手段２７により燃料ガス供給装置１および燃焼ファン２でのバーナ３への燃料ガス供給量および燃焼用空気を調整し、バーナ３の燃焼量を制御して得られる。
【０１３４】
ここでは低温端末側バイパス流路１５内の開閉弁３１を「閉」とした場合を示している。低温端末側バイパス流路１５の開閉弁３１における開閉状態の条件は例えば、低温端末機の使用系統数が少ない（例えば３系統以下）場合は開閉弁３１を「閉」として熱交換部４で加熱された所定温度値（例えば６０℃）の高温水を直接低温端末機に供給し、低温端末機の使用系統数が多い（例えば４系統以上）場合は開閉弁３１を「開」としてより多くの低温端末機温水循環流量を低温端末機に供給する方式が考えられる。
【０１３５】
また低温端末側バイパス流路１５内の開閉弁３１を「開」とした場合は、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【０１３６】
同時高低温端末運転の場合、高温端末機の運転開始命令が入力されると、低温端末側バイパス流路１５の開閉弁３１に対して制御手段２７は開閉弁開閉信号として、「開」命令信号を入力して低温端末側バイパス流路１５を「開」とし、高温水バイパス流路１０の２つの開閉弁３１に対して制御手段２７は一方の開閉弁３１に対して開閉弁常時「開」命令信号、他方の開閉弁３１に対して開閉弁「開」または「閉」命令信号を入力し、一方の開閉弁３１は常時「開」に他方の開閉弁３１は「開」または「閉」とする。
【０１３７】
同時高低温端末運転の場合には高温端末機に供給する高温水温度を優先的に確保するため、熱交換部出口サーミスタ５で検知される温水の温度が、高温水必要温度の所定値（例えば８０℃）となるように制御手段２７により、燃料ガス供給装置１および燃焼ファン２でのバーナ３への燃料ガス供給量および燃焼用空気を調整し、バーナ３の燃焼量を制御する。
【０１３８】
この時の温水暖房装置内の低温端末機側へ流れる温水は、図１４（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機へ流れる。
【０１３９】
本実施例７における同時高低温端末運転時においては、高温水バイパス流路１０における２つの開閉弁３１のうち、一方は常時「開」とし、他方の開閉弁３１を低温端末往き温水サーミスタ３０で検知される低温端末往き温水温度に応じて開閉させ、完全に低温端末往き温水温度を必要な所定値（例えば６０℃）に制御することはできないが、従来の技術における温水暖房装置の同時高低温端末運転時の低温端末往き温水温度特性よりも、より安定した往き温度の温水を低温端末機に供給することができる。
【０１４０】
すなわち、低温端末往き温水サーミスタ３０で検知される低温端末往き温水温度に応じて開閉させる開閉弁３１の開閉パターンとしては例えば、必要な所定温度値（例えば６０℃）よりもある値（例えば５℃）高い温度（例えば６５℃）以上では高温水の混合量を減らすため「閉」とし、必要な所定温度値（例えば６０℃）よりもある値（例えば５℃）低い温度（例えば５５℃）以下では高温水の混合量を増すため「開」とすることが考えられる。
【０１４１】
以上のように、本実施例においては低温端末側温水往き流路内に低温端末往き温水温度検知手段を配置し、低温端末側バイパス流路内に開閉手段を配置し、高温水バイパス流路としてそれぞれの流路が開閉手段を有する複数流路の構成として、単独低温端末運転時には低温端末側バイパス流路の開閉手段を低温端末機の使用系統数に応じて「開」または「閉」とし、複数の高温水バイパス流路の開閉手段をすべて開とし、低温端末往き温水温度検知手段で検知される低温端末往き温水温度を必要な所定値（例えば６０℃）となるように熱交換部の加熱源の加熱量を制御し、同時高低温端末運転時には熱交換部出口温水温度検知手段で検知される高温水温度を高温端末機側で必要な所定値（例えば８０℃）になるように熱交換部の加熱源の加熱量を制御し、低温端末側バイパス流路の開閉手段を開とし、低温端末往き温水温度検知手段で検知される低温往き温水温度が低温端末機側で必要な所定値（例えば６０℃）に対してある温度域（例えば温度幅を５℃として低温往き温水温度が５５℃から６５℃）となるように、高温水バイパス流路の複数（ここでは２つ）のうち、常時開の開閉手段（ここでは１つ）以外の開閉手段（ここでは１つ）を開閉するため、より安定した往き温度の温水を低温端末機に供給することができる。
【０１４２】
（実施例８）
図１５（ａ）は、本発明の実施例８における温水暖房装置の熱源機Ｈ８および各端末機を含めた全体の温水暖房システムの構成図を示すものである。また図１６（ａ）は、同温水暖房装置において、単独低温端末運転時における熱源機内部での温水の流れ、および図１６（ｂ）は同時高低温端末運転時における熱源機内部での温水の流れを示すものである。なお、実施例１〜実施例６および実施例７における温水暖房装置の熱源機および各端末機を含めた全体の温水暖房システムと同一構造並びに作用効果を奏するのものは同一符号を付して詳細な説明は省略する。
【０１４３】
図１５（ａ）において、実施例７と異なるところは、高温水バイパス流路１０に流路径開度を任意に調整することのできる流路径可変手段としての流路径可変弁３２を設けたことである。またこの流路径可変弁３２は、図１５（ｂ）に示すように逆流防止手段９の下流に配置しても同じ流路構成である。
【０１４４】
制御手段２７は単独低温端末運転時には低温端末側バイパス流路１５の開閉弁３１を適切に開閉するとともに、高温水バイパス流路１０の流路径可変弁３２を全開とし、かつ低温端末往き温水サーミスタ３０の検知信号に基き低温端末往き温水温度が所定値となるように熱交換部４の加熱源であるバーナ３の加熱量である燃焼量を制御し、同時高低温端末運転時には低温端末側バイパス流路１５の開閉弁３１を開に制御するとともに、熱交換部出口サーミスタ５の検知信号に基き高温水温度が所定値となるように熱交換部４の加熱源であるバーナ３の加熱量である燃焼量を制御し、かつ低温端末往き温水サーミスタ３０の検知信号に基き低温端末機に流れる温水温度が所定値となるように流路径可変弁３２を制御するシーケンスを実行する。
【０１４５】
また、制御手段２７はマイクロコンピュータおよびその周辺回路で構成され、全体的な温水暖房装置の運転と、上記した制御シーケンスを実行するプログラムを内蔵している。図中、制御手段２７から導出した点線および実線は、制御信号の配線である。
【０１４６】
このように構成された温水暖房装置について、単独低温端末運転時および同時高低温端末運転時につき以下その動作と作用を説明する。
【０１４７】
低温単独運転の場合、ある低温端末機の運転開始命令が入力されると、低温端末側バイパス流路１５内の開閉弁３１に対して制御手段２７は開閉弁開閉信号として、「開」または「閉」命令信号を入力して低温端末側バイパス流路１５を「開」または「閉」とし、高温水バイパス流路１０内の流路径可変弁３２に対して、制御手段２７は流路径可変弁制御信号として開度１００％「開」命令信号を入力し高温水バイパス流路１０の流路径を全開とする。
【０１４８】
燃料ガス供給装置１によって供給された燃料ガスは、燃焼ファン２によって送り込まれた空気との混合によってバーナ３で燃焼され、図１６（ａ）の単独低温端末運転時における温水の流れに示すように、温水戻り流路Ｂ２１を流れる端末機で放熱し温度の低下した戻り温水をすべて熱交換部４に搬送して加熱し、高温水往き流路８、高温水バイパス流路１０、低温端末側温水往き流路１６を通って低温端末機側へ流れる。そして、ここで低温端末機側へ流れる温水は、低温端末往き温水サーミスタ３０で検知される低温往き温水温度が所定値（例えば６０℃）となるように制御手段２７により燃料ガス供給装置１および燃焼ファン２でのバーナ３への燃料ガス供給量および燃焼用空気を調整し、バーナ３の燃焼量を制御して得られる。
【０１４９】
ここでは低温端末側バイパス流路１５内の開閉弁３１を「閉」とした場合を示している。低温端末側バイパス流路１５の開閉弁３１における開閉状態の条件は例えば、低温端末機の使用系統数が少ない（例えば３系統以下）場合は開閉弁３１を「閉」として熱交換部４で加熱された所定値（例えば６０℃）の高温水を直接低温端末機に供給し、低温端末機の使用系統数が多い（例えば４系統以上）場合は開閉弁３１を「開」として、より多くの低温端末機温水循環流量を低温端末機に供給する方式が考えられる。
【０１５０】
また低温端末側バイパス流路１５内の開閉弁３１を「開」とした場合は、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【０１５１】
同時高低温端末運転の場合、高温端末機の運転開始命令が入力されると、低温端末側バイパス流路１５内の開閉弁３１に対して制御手段２７は開閉弁開閉信号として、「開」命令信号を入力して低温端末側バイパス流路１５を「開」とし、高温端末機に供給する高温水温度を優先的に確保するため、熱交換部出口サーミスタ５で検知される温水の温度が、高温水必要温度の所定値（例えば８０℃）となるように制御手段２７により燃料ガス供給装置１および燃焼ファン２でのバーナ３への燃料ガス供給量および燃焼用空気を調整し、バーナ３の燃焼量が制御される。
【０１５２】
制御手段２７は高温水バイパス流路１０内の流路径可変弁３２に対して、低温端末往き温水サーミスタ３０で検知される低温端末往き温水温度が低温端末往き温度の必要な所定値（例えば６０℃）となるように、流路径可変弁制御信号を入力し流路径可変弁３２の開度を調整する。この時、図１６（ｂ）の同時高低温端末運転時における温水の流れに示すように、低温端末側バイパス流路１５を流れる端末機で放熱し温度の低下した戻り温水と、高温水バイパス流路１０を流れる熱交換部４で加熱された高温水が混合し、低温端末側温水往き流路１６を通って低温端末機側へ流れる。
【０１５３】
以上のように、本実施例においては低温端末側温水往き流路に低温端末往き温水温度検知手段を配置し、また低温端末側バイパス流路に開閉手段を配置し、さらに高温水バイパス流路に流路径開度を任意に調整することのできる流路径可変手段を配置し、そして単独低温端末運転時には低温端末側バイパス流路の開閉手段を低温端末機の使用系統数に応じて「開」または「閉」とし、流路径可変手段制御信号として開度１００％「開」命令信号を入力し高温水バイパス流路の流路径を全開とし、低温端末往き温水温度検知手段で検知される低温端末往き温水温度を必要な所定値（例えば６０℃）となるように熱交換部の加熱源の加熱量を制御し、同時高低温端末運転時には熱交換部出口温水温度検知手段で検知される高温水温度を高温端末機側で必要な所定値（例えば８０℃）になるように熱交換部の加熱源の加熱量を制御し、低温端末側バイパス流路の開閉手段を開とし、低温端末往き温水温度検知手段で検知される低温往き温水温度が低温端末機側で必要な所定値（例えば６０℃）となるように、流路径可変手段制御信号を入力し流路径可変手段の開度を調整するので、実施例７における温水暖房装置に比し、より安定した往き温度の温水を低温端末機に供給することができる。
【０１５４】
なお、上記各実施例では熱交換部４の加熱源としてガスを燃料とするバーナ３を使用したが、石油を燃料とするバーナ、または電気の加熱源、またはヒートポンプ方式の加熱源でも適用でき、本発明と同等の作用効果を期待できるものである。
【０１５５】
【発明の効果】
以上のように本発明によれば、低温端末往き温水温度を制御し、より安定した往き温度の温水を低温端末機に供給する温水暖房装置を提供することができる。
【図面の簡単な説明】
【図１】本発明の実施例１における温水暖房装置の熱源機および各端末機を含めた全体の温水暖房システムの構成図
【図２】（ａ）同温水暖房装置の単独低温端末運転時における温水の流れ図
（ｂ）同じく同時高低温端末運転時における温水の流れ図
【図３】本発明の実施例２における温水暖房装置の熱源機および各端末機を含めた全体の温水暖房システムの構成図
【図４】（ａ）同温水暖房装置の単独低温端末運転時における温水の流れ図
（ｂ）同じく同時高低温端末運転時における温水の流れ図
【図５】本発明の実施例３における温水暖房装置の熱源機および各端末機を含めた全体の温水暖房システムの構成図
【図６】（ａ）同温水暖房装置の単独低温端末運転時における温水の流れ図
（ｂ）同じく同時高低温端末運転時における温水の流れ図
【図７】（ａ）本発明の実施例４における温水暖房装置の熱源機および各端末機を含めた全体の温水暖房システムの構成図
（ｂ）同温水暖房装置の熱源機における要部の他の例を示す図
【図８】（ａ）同温水暖房装置の単独低温端末運転時における温水の流れ図
（ｂ）同じく同時高低温端末運転時における温水の流れ図
【図９】本発明の実施例５における温水暖房装置の熱源機および各端末機を含めた全体の温水暖房システムの構成図
【図１０】（ａ）同温水暖房装置の単独低温端末運転時における温水の流れ図
（ｂ）同じく同時高低温端末運転時における温水の流れ図
【図１１】（ａ）本発明の実施例６における温水暖房装置の熱源機および各端末機を含めた全体の温水暖房システムの構成図
（ｂ）同温水暖房装置の熱源機における要部の他の例を示す図
【図１２】（ａ）同温水暖房装置の単独低温端末運転時における温水の流れ図
（ｂ）同じく同時高低温端末運転時における温水の流れ図
【図１３】（ａ）本発明の実施例７における温水暖房装置の熱源機および各端末機を含めた全体の温水暖房システムの構成図
（ｂ）同温水暖房装置の熱源機における要部の他の例を示す図
【図１４】（ａ）同温水暖房装置の単独低温端末運転時における温水の流れ図
（ｂ）同じく同時高低温端末運転時における温水の流れ図
【図１５】（ａ）本発明の実施例８における温水暖房装置の熱源機および各端末機を含めた全体の温水暖房システムの構成図
（ｂ）同温水暖房装置の熱源機における要部の他の例を示す図
【図１６】（ａ）同温水暖房装置の単独低温端末運転時における温水の流れ図
（ｂ）同じく同時高低温端末運転時における温水の流れ図
【図１７】従来の温水暖房装置における熱源機および各端末機を含めた全体の温水暖房システムの構成図
【図１８】（ａ）従来の温水暖房装置の単独低温端末運転時における温水の流れ図
（ｂ）同じく同時高低温端末運転時における温水の流れ図
【符号の説明】
３  バーナ（加熱源）
４  熱交換部
５  熱交換部出口サーミスタ（熱交換部出口温水温度検知手段）
６  温水循環ポンプ
７  温水タンク
９  逆流防止手段
１０  高温水バイパス流路
１２  高温端末側温水往き流路
１５  低温端末側バイパス流路
１６  低温端末側温水往き流路
２０  温水戻り流路Ａ
２１  温水戻り流路Ｂ
２５  高温端末機
２６Ａ  低温端末機
２６Ｂ  低温端末機
２６Ｃ  低温端末機
２７  制御手段
３０  低温端末往き温水サーミスタ（低温端末往き温水温度検知手段）
３１  開閉弁（開閉手段）
３２  流路径可変弁（流路径可変手段）
【図１】
2004218916.tif 000003
【図２】
2004218916.tif 000004
【図３】
2004218916.tif 000005
【図４】
2004218916.tif 000006
【図５】
2004218916.tif 000007
【図６】
2004218916.tif 000008
【図７】
2004218916.tif 000009
【図８】
2004218916.tif 000010
【図９】
2004218916.tif 000011
【図１０】
2004218916.tif 000012
【図１１】
2004218916.tif 000013
【図１２】
2004218916.tif 000014
【図１３】
2004218916.tif 000015
【図１４】
2004218916.tif 000016
【図１５】
2004218916.tif 000017
【図１６】
2004218916.tif 000018
【図１７】
2004218916.tif 000019
【図１８】
2004218916.tif 000020